(57)【要約】      （修正有）【課題】電極間絶縁破壊を最小化し、同時にアドレス電極側への陽イオン蓄積によるエイジング特性の変化を防止することができるＰＤＰのエイジング方法を提供する。【解決手段】前面パネルのスキャン電極及びサステイン電極に維持放電パルスの基準電圧０Ｖより低い電圧レベルの維持放電パルスの放電電圧−ＶＳを交番的に印加し、背面パネルのアドレス電極には、基準電圧の電圧レベルと等しい０Ｖを印加して放電させる。【選択図】図４
2005327730.tif 000002
【特許請求の範囲】
【請求項１】
前面パネルのスキャン電極及びサステイン電極に基準電圧より低い維持放電パルスの電圧レベルの維持放電パルスの放電電圧を交番的に印加し、
背面パネルのアドレス電極に、前記基準電圧の電圧レベル以上の電圧を印加して放電させることを特徴とする、プラズマディスプレイパネルのエイジング方法。
【請求項２】
前記放電は、
前記印加されるパルスによってスキャン電極またはサステイン電極の中で一つの電極とアドレス電極との間の対向放電が起きる第１段階と、 
前記第１段階において前記対向放電が起きた電極と、前記第１段階において対向放電が起きなかった電極とに電荷が帯電されて面放電が起きる第２段階と、
前記第１段階において前記対向放電が起きなかった電極とアドレス電極との間の対向放電が起きる第３段階と、
を繰り返し遂行することを特徴とする、請求項１記載のプラズマディスプレイパネルのエイジング方法。
【請求項３】
前記アドレス電極の電圧は、持続的に印加されることを特徴とする、請求項１記載のプラズマディスプレイパネルのエイジング方法。
【請求項４】
前記パルスの放電電圧のデューティー比は５０％以下であることを特徴とする、請求項１記載のプラズマディスプレイパネルのエイジング方法。
【請求項５】
前記基準電圧は０Ｖ以上であることを特徴とする、請求項１乃至４記載の何れかに記載のプラズマディスプレイパネルのエイジング方法。
【請求項６】
前面パネルのスキャン電極及びサステイン電極に０Ｖ以上の基準電圧を維持し、且つ前記基準電圧より低い放電電圧の維持放電パルスを交番的に印加して、 
背面パネルのアドレス電極に、前記基準電圧の電圧レベル以上の電圧を印加して放電させることを特徴とする、
プラズマディスプレイパネルのエイジング方法。
【発明の詳細な説明】
【技術分野】
【０００１】
本発明は、プラズマディスプレイパネルのエイジング方法に関する。
【背景技術】
【０００２】
一般的に、プラズマディスプレイパネル(Ｐｌａｓｍａ  Ｄｉｓｐｌａｙ  Ｐａｎｅｌ：以下、‘ＰＤＰ’とする)は、ソーダライム(Ｓｏｄａ−ｌｉｍｅ)ガラスからなる前面パネル及び背面パネルの間に形成された隔壁が一つの単位セルを成す。各セル内には、ネオン(Ｎｅ)、ヘリウム(Ｈｅ)またはネオン及びヘリウムの混合気体(Ｎｅ＋Ｈｅ)のような主放電気体と少量のキセノンを含む不活性ガスが充填される。高周波電圧によって放電する時、不活性ガスは、真空紫外線(Ｖａｃｕｕｍ  Ｕｌｔｒａｖｉｏｌｅｔ  Ｒａｙｓ)を発生して、隔壁の間に形成された蛍光体を発光させて画像が具現される。
【０００３】
図１は従来のプラズマディスプレイパネルの構造を概略的に示す斜視図である。図１に図示されたのように、 ＰＤＰ１００は画像がディスプレイされる表示面である前面パネル１０及び背面を成す背面パネル２０が一定距離を間に置いて平行に結合される。
【０００４】
前面パネル１０は、一つの画素で相互放電させてセルの発光を維持するためのスキャン電極１１Ｙ及びサステイン電極１１Ｚ、すなわち透明なＩＴＯ物質に形成された透明電極１１ａと金属材質に製作されたバス電極１１Ｂとが備えられたスキャン電極１１Ｙ及びサステイン電極１１Ｚが対を成して形成される。前記スキャン電極１１Ｙ及びサステイン電極１１Ｚは、放電電流を制限して電極対の間を絶縁させる一つ以上の誘電体層１２によって覆われて、誘電体層１２上面には放電条件を容易くするために酸化マグネシウム(ＭＧＯ)を蒸着した保護層１３が形成される。
【０００５】
背面パネル２０は複数個の放電空間すなわち、放電セルを形成させるためのストライプタイプ(またはウェルタイプ)の隔壁２１が平行を維持して配列される。また、アドレス放電を遂行して真空紫外線を発生させる多数のアドレス電極２２が、隔壁２１に対して平行に配置される。背面パネル２０の上側面には、アドレス放電の時に画像表示のための可視光線を放出するＲ、Ｇ、Ｂ蛍光体２３が塗布される。前記アドレス電極２２及び前記蛍光体２３の間には、前記アドレス電極２２を保護して前記蛍光体２３で放出される可視光線を前面パネル１０で反射させる白色誘電体２４が形成される。
【０００６】
また、隔壁２１の上側の面には、前面パネル１０外部で発生する外光を吸収して反射を減らす光遮断の機能、前面パネル１０の色純度(Ｐｕｒｉｔｙ)及びコントラストを進めるなどの機能をするブラックマトリックス２１ａが配列されて構成される。このような構造のＰＤＰの製造工程をさらに詳細によく見れば図２のようである。
【０００７】
図２は従来ＰＤＰの製造工程を概略的に示すブロック図である。図２に示したのように、 ＰＤＰは、前面パネル製作工程２０１及び背面パネル製作工程２０２、前記前面パネル及び背面パネル合着工程２０３、排気及びガス注入工程２０４及びパネルのエイジング(Ａｇｉｎｇ)工程２０５後に完成される。
【０００８】
先ず、前面パネルは、前面ガラス上部に複数のスキャン電極及びサステイン電極対が形成されており、前記電極対の上部に誘電体層が形成されている。以後、前記誘電体層上部にＭＧＯフィルムの保護層が形成されることでＰＤＰの前面パネルが製作される(２０１)。
【０００９】
また、背面ガラス上部に前面パネルに形成された前記スキャン電極及びサステイン電極
と交差して対向されるようにアドレス電極が形成されて、前記アドレス電極上面に誘電体層、隔壁及び蛍光体層が形成されることでＰＤＰの背面パネルが製作される(２０２)。
【００１０】
次に、前記ＰＤＰの前面パネル及び背面パネルを合着する(２０３)。
【００１１】
次に、合着された前面パネル及び背面パネルの間にある空気を排気管を通じて排気させた後、不活性ガスを注入する。以後、前記排気管をチップオフ(Ｔｉｐ−ｏｆｆ)することでＰＤＰのパネル製作工程は終わる(２０４)。
【００１２】
前記製作されたパネルは、パネルの部位別で特性が不均一して等しい電圧が印加される時、放電特性の差が示すようになる。この時、電圧を徐々に高めて維持放電パルスを印加してパネルのすべてのセルで最初の放電をさせて、所定時間の間パネルに前記維持放電パルスを印加して初期放電を維持すれば、パネルの特性がよほど安定化される效果がある。このような效果を利用したことが前記チップオフ後に、エイジング工程が遂行される(２０５)。
【００１３】
図３は従来のエイジング工程の時印加される維持放電パルスを示す波形図である。図３に示されたのように、スキャン電極及びサステイン電極に交番する維持放電パルスが印加される。前記交番する維持放電パルスによって前記スキャン電極及びサステイン電極の間に面放電が繰り返して起きるようになる。この時、アドレス電極に印加される電圧は０Ｖである。
【００１４】
このようなスキャン電極及びサステイン電極の間の面放電を利用して最初に放電を起こす最初放電方法は、非常に高い電圧が必要になる。この過程で工程マージンが少ないパネルの場合、電極の間で絶縁破壊が起きるようになり、絶縁破壊の起きたパネルはこれ以上良品ではない不良パネルになるので生産収率を落とす問題点が発生するようになる。
【００１５】
また、従来のエイジング方法ではアドレス電極が前記スキャン電極及びサステイン電極より低い電圧に帯電されるので、アドレス電極の方に陽(ｐｏｓｉｔｉｖｅ)極性を持つイオンが蓄積されてアドレス電極電位が変わるようになってエイジング特性の変わる問題点が発生するようになる。
【発明の開示】
【発明が解決しようとする課題】
【００１６】
本発明は、前記のような問題点を解決するためのことで、その目的は、プラズマディスプレイパネルに形成された電極間絶縁破壊を最小化して、同時にアドレス電極側に陽イオン蓄積によるエイジング特性の変化を防止することができるプラズマディスプレイパネルのエイジング方法を提供するのである。
【課題を解決するための手段】
【００１７】
本発明によるプラズマディスプレイパネルのエイジング方法は前面パネルのスキャン電極及びサステイン電極に維持放電パルスの基準電圧より低い電圧レベルの維持放電パルスの放電電圧を交番的に印加して、背面パネルのアドレス電極に前記基準電圧の電圧レベルと等しいかさらに高い電圧を印加して放電させることを特徴とする。
【００１８】
前記放電は前記印加されるパルスによってスキャン電極またはサステイン電極の中で一つの電極とアドレス電極間の対向放電が起きる段階；前記対向放電が起きた電極で対向放電が起きない電極で電荷が帯電されて面放電が起きる段階；及び前記対向放電が起きない電極とアドレス電極の間の対向放電が起きる段階を繰り返し遂行することを特徴とする。
【００１９】
前記アドレス電極の電圧は持続的に印加されることを特徴とする。
【００２０】
前記パルスの放電電圧のデューティー比は５０％以下であることを特徴とする。
【００２１】
前記基準電圧は０Ｖ以上であることを特徴とする。
【００２２】
本発明によるプラズマディスプレイパネルの他のエイジング方法は前面パネルのスキャン電極及びサステイン電極に０Ｖ以上の基準電圧を維持してから前記基準電圧より低い放電電圧の維持放電パルスが交番的に印加して、背面パネルのアドレス電極に前記基準電圧の電圧レベルと等しいかさらに高い電圧を印加して放電させることを特徴とする。
【発明の効果】
【００２３】
このような本発明は放電電圧が印加される電極とアドレス電極間の電圧のためによる対向放電を利用して見る昼は電圧で最初放電を起こすことができるし、も、前記アドレス電極に印加される電圧レベルが前記スキャン電極及びサステイン電極より高くなるようになることで電荷蓄積が縮んでエイジング特性変化を防止することができる。
【発明を実施するための最良の形態】
【００２４】
以下、本発明の実施例を添付した図面を参照して詳細に説明する。
【００２５】
図４は、本発明によるプラズマディスプレイパネルのエイジング工程の時に印加される維持放電パルスを示す波形図である。
【００２６】
図４に示されたのように、維持放電パルスはスキャン電極及びサステイン電極に交番的に印加される。前記維持放電パルスの基準電圧は０Ｖで、放電電圧は前記基準電圧よりレベルが低い所定の−Ｖｓが印加される。また、アドレス電極には、前記基準電圧と等しい０Ｖが持続的に印加される。
【００２７】
上記の電圧が印加される事によって、スキャン電極及びサステイン電極に印加される電圧は、アドレス電極に印加される電圧レベルよりも低いので、陽極性のイオンが前面パネルのＭＧＯ層に移動する。前面パネルのＭＧＯ層の二次電子放出係数が背面パネルの蛍光体層より大きいため、前面パネルでより多い二次電子を放出する。これによって、前記スキャン電極及びサステイン電極とアドレス電極との間に、対向放電による最初の放電が起きる。ここで、前記最初の放電は、従来のスキャン電極及びサステイン電極の間の面放電より低い電圧レベルで容易に起きることを分かる。
【００２８】
前記最初の放電後に所定時間の間印加される前記維持放電パルスによって次のように初期放電を維持するようになる。
【００２９】
先ず、前記印加されるパルスによってスキャン電極またはサステイン電極の中の一方で一つの電極とアドレス電極と間の対向放電が起きる。
【００３０】
次に、前記対向放電が起きた電極と対向放電が起きない電極とで電荷が帯電されて面放電が起きる。
【００３１】
次に、前記対向放電が起きない電極とアドレス電極との間の対向放電が起きる。
【００３２】
前記のような過程を所定時間の間繰り返し遂行することで、ＰＤＰのパネル特性が安定化される。
例えば、図６（ａ）に示すように、スキャン電極とアドレス電極との間で対向放電が起こり（第１段階）、図６（ｂ）に示すように、スキャン電極（第１段階で対向放電が起きた電極）と、サステイン電極（第１電極で対向放電が起きなかった電極）との間で面放電が起こり（第２段階）、図６（ｃ）に示すように、サステイン電極（第１段階で対向放電が起きなかった電極）とアドレス電極との間で対向放電が起こり（第３段階）、図６（ｄ）に示すように、スキャン電極（第１電極で対向放電が起きなかった電極）と、サステイン電極（第１段階で対向放電が起きた電極）との間で面放電が起こる（第４段階）ことを繰り返す。１回目の対向放電は、スキャン電極とアドレス電極との間で発生しても良いし、サステイン電極とアドレス電極との間で発生しても良い。
即ち、第１電極又は第２電極のうち前回の対向放電時に放電しなかった電極と第３電極との間で対向放電を起こす段階と、第１電極と第２電極との間で面放電を起こす段階とを繰り返す。ここで、例えば、第１電極はスキャン電極、第２電極はサステイン電極であり、第３電極はアドレス電極である。
【００３３】
この時、前記パルスの放電電圧のデューティー比は交番する維持放電パルスの特性の上、５０％以下にならなければならない。
【００３４】
また、図４では前記アドレス電極の電圧を前記基準電圧のような０Ｖに印加したが、変形された実施例で前記基準電圧よりさらに高い電圧を印加して放電電圧と電圧の差を大きくすることもできる。
【００３５】
一方、前記基準電圧は０Ｖより大きい電圧を印加することもできる。ここに関するより詳細な説明は、図５を参照して説明する事にする。
【００３６】
図５は本発明によるプラズマディスプレイパネルのエイジング工程の時印加される他の維持放電パルスを示す波形図である。
【００３７】
図５を参照すれば、維持放電パルスは図４のように、スキャン電極及びサステイン電極に交番的に印加される。前記維持放電パルスの基準電圧は所定の電圧(Ｖｓ＞０)が印加されて、放電電圧は前記基準電圧よりレベルが低い０Ｖが印加される。また、アドレス電極には前記基準電圧と等しい所定の電圧(Ｖｓ)が持続的に印加される。
【００３８】
ここで、最初放電電圧は、前記放電電圧とアドレス電圧の間の相対的な電圧の差による放電なので基準電圧は０Ｖより大きくできる。この時、放電電圧は基準電圧より低いレベルの電圧を印加するようにする。
【００３９】
この時、前記パルスの放電電圧のデューティー比は交番する維持放電パルスの特性上５０％以下にならなければならない。
【００４０】
また、図５では前記アドレス電極の電圧を前記基準電圧のようなＶｓに印加したが、変形された実施例で前記基準電圧よりさらに高い電圧を印加して放電電圧と前記アドレス電極の電圧との差を大きくすることもできる。
【００４１】
このような本発明は、最初の放電後のエイジング工程で、アドレス電極の方で陽極性のイオンが蓄積されることを阻むことができる。すなわち、アドレス電極が相対的に高い電圧に帯電されて負(Ｎｅｇａｔｉｖｅ)極性を持つ電子がアドレス電極の方に蓄積される。電子は局所的に蓄積される電荷量がイオンの場合より少なくなって、エイジング工程で電荷蓄積が縮む長所を持つようになる。よって、電荷の蓄積によるエイジング特性の変化を防止することができる。
【図面の簡単な説明】
【００４２】
【図１】従来のプラズマディスプレイパネルの構造を概略的に示す斜視図。
【図２】従来ＰＤＰの製造工程を概略的に示すブロック図。
【図３】図３は従来のエイジング工程の時印加される維持放電パルスを示す波形図。
【図４】本発明によるプラズマディスプレイパネルのエイジング工程の時印加される維持放電パルスを示す波形図。
【図５】本発明によるプラズマディスプレイパネルのエイジング工程の時印加される他の維持放電パルスを示す波形図。
【図６】エイジング放電工程における各段階での放電を示す図。
【図１】
2005327730.tif 000003
【図２】
2005327730.tif 000004
【図３】
2005327730.tif 000005
【図４】
2005327730.tif 000006
【図５】
2005327730.tif 000007
【図６】
2005327730.tif 000008